(57)【要約】【課題】簡易な方法で、予め定めた設定内容で運転を継続させることのできるエレベーターの空調機の提供。【解決手段】運転を設定する操作部を有し、設定内容に応じた出力信号を出力するリモートコントロール機器１と、乗かご２に設置されるとともに、出力信号を受信する受信部を有し、設定内容に基づき制御される空調機本体３とを備えたエレベーターの空調機において、乗かご２に、空調機本体とは別に、乗かご内の明るさを検知する光センサ４Ｃを備え、かつ、リモートコントロール機器の出力信号を受信するとともに設定内容を読み取り記憶し、乗かご内の明るさが予め設定した値に変化したことに応じ空調機本体に対し設定内容に応じた出力信号を出力する運転補助手段４を設け、停電が発生し、復電により空調機本体３が初期状態となっても、空調機本体３の設定が元に戻るようにしたものである。【選択図】図１
2009249085.tif 000002
【特許請求の範囲】
【請求項１】
運転を設定する操作部を有し、設定内容に応じた出力信号を出力するリモートコントロール機器と、乗かごに設置されるとともに、前記出力信号を受信する受信部を有し、前記設定内容に基づき制御される空調機本体とを備えたエレベーターの空調機において、
前記乗かごに、前記空調機本体とは別に、前記乗かご内の明るさを検知する光センサを備え、かつ、前記リモートコントロール機器の出力信号を受信するとともに前記設定内容を読み取り記憶し、前記乗かご内の明るさが予め設定した値に変化したことに応じ前記空調機本体に対し前記設定内容に応じた出力信号を出力する運転補助手段を設けたことを特徴とするエレベーターの空調機。
【発明の詳細な説明】
【技術分野】
【０００１】
本発明は、エレベーターの空調機に係り、特に、リモートコントロール機器により運転を設定可能なエレベーターの空調機に関する。
【背景技術】
【０００２】
従来、空調機として、室内の照明の点灯や消灯に連動して、運転の開始や停止を自動的に行うものがある（例えば、特許文献１参照）。また、室内の温度が設定範囲外であることを感知し、空調機の自動運転を強制的に開始させるものもある（例えば、特許文献２参照）。
【特許文献１】特開２００２−３１３８５号公報
【特許文献２】特開２０００−７４４５０号公報
【発明の開示】
【発明が解決しようとする課題】
【０００３】
しかしながら、前述した空調機では、電源が入っている場合にのみ、室内の照明の点灯・消灯、或いは、室温に連動して動作するものであり、停電により電源が一時的に消勢すると、運転の設定が解除され、復電時には初期状態となる。このような空調機をエレベーターの乗かごに取付けると、停電が発生した後に、必ず管理人等がエレベーターの乗かごに乗込み、リモートコントロール機器により空調機の運転を再設定する必要がある。また、空調機本体に、運転設定を保持する保持手段や、復電に応じて自動起動させる起動手段を設けることは技術的には可能であるが、一般的でないことから空調機の単価が高くなるという問題があるとともに、既存のエレベーターの空調機にこのような機能を付加することは困難であった。
【０００４】
本発明は、前述した従来技術における実状からなされたもので、その目的は、簡易な方法で、停電が発生しても管理人が乗かごに赴くことを要せずに予め定めた設定内容で運転を継続させることのできるエレベーターの空調機を提供することにある。
【課題を解決するための手段】
【０００５】
前記目的を達成するために、本発明は、運転を設定する操作部を有し、設定内容に応じた出力信号を出力するリモートコントロール機器と、乗かごに設置されるとともに、前記出力信号を受信する受信部を有し、前記設定内容に基づき制御される空調機本体とを備えたエレベーターの空調機において、前記乗かごに、前記空調機本体とは別に、前記乗かご内の明るさを検知する光センサを備え、かつ、前記リモートコントロール機器の出力信号を受信するとともに前記設定内容を読み取り記憶し、前記乗かご内の明るさが予め設定した値に変化したことに応じ前記空調機本体に対し前記設定内容に応じた出力信号を出力する運転補助手段を設けたことを特徴としている。
【０００６】
このように構成した本発明は、乗かごに設置された運転補助手段は、まず、リモートコントロール機器の出力信号を受信し、空調機本体に対してなされた設定内容を読み取り記憶する。そして、何らかの理由により停電が発生して乗かご内の照明が消え、次いで、復電に伴い乗かご内の照明が再び点灯すると、運転補助手段は、光センサにより乗かご内の明るさの変化を感知し、空調機本体に対して設定内容に応じた出力信号を出力する。これによって、復電時に空調機本体が初期状態となっても再び設定が元に戻る。このように、設定内容を記憶するとともに、乗かご内の明るさの変化を感知して設定内容に応じた出力信号を出力する運転補助手段を乗かごに設置するという比較的簡易な方法で、停電が発生しても管理人が乗かごに赴くことを要せずに、予め定めた設定内容で運転を継続させることができる。
【発明の効果】
【０００７】
本発明によれば、設定内容を記憶するとともに、乗かご内の明るさの変化を感知して設定内容に応じた出力信号を出力する運転補助手段を乗かごに設置するという比較的簡易な方法で、停電が発生しても管理人が乗かごに赴くことを要せずに、予め定めた設定内容で運転を継続させることができる。これによって、管理人の労力の低減を図ることができるとともに、停電により初期設定になったまま運転が継続されるという事態を確実に回避することができる。また、運転補助手段は空調機本体とは別に設置されるものであることから、既存のエレベーターの空調機にも容易に対応することができる。
【発明を実施するための最良の形態】
【０００８】
以下、本発明に係るエレベーターの空調機の実施の形態を図に基づいて説明する。
【０００９】
図１は本発明に係るエレベーターの空調機の一実施形態を示す概略構成図、図２は図１の空調機の動作手順を示すフローチャートである。
【００１０】
本実施形態のエレベーターの空調機は図１に示すように、運転を設定する図示しない操作部を有し、設定内容に応じた出力信号、例えば赤外線Ａを発光可能なリモートコントロール機器１と、乗かご２に設置されるとともに、赤外線Ａを受光する図示しない受光部を有し、設定内容に基づき制御される空調機本体３とを備えている。また、前述のリモートコントロール機器１は、通常、乗かご１内に据付けられるものではなく、当該エレベーターが設置される建屋を管理する管理人が必要時にのみ持ち出し操作するものである。
【００１１】
そして、本実施形態の空調機は、乗かご２に、空調機本体３とは別に設置され、リモートコントロール機器１の出力信号、即ち赤外線Ａを受光するとともに、設定内容を読み取り記憶し、乗かご２内の明るさが予め設定した値に変化したことに応じ空調機本体３に対し設定内容に応じた出力信号、例えば赤外線Ｂを発光する運転補助手段４を備えている。この運転補助手段４は、例えば、リモートコントロール機器１から発光される赤外線Ａを受光する受光素子４Ａと、赤外線Ｂを発光する発光素子４Ｂと、乗かご２内の明るさを検知する光センサ４Ｃと、赤外線Ａの受光に基づき設定内容を読み取り記憶するとともに、乗かご内の明るさが予め設定した値に変化したことに応じ空調機本体３に対し設定内容に応じた赤外線Ｂを発光させる制御部４Ｄとを有してなっている。なお、運転補助手段４は、エレベーターの電源とは別の電源体で駆動されるものである。また、空調機本体３は、リモートコントロール機器１から発光される赤外線Ａ、及び運転補助手段４の発光素子４Ｂから発光される赤外線Ｂのそれぞれを受光可能であり、赤外線Ａに含まれる運転設定、及び赤外線Ｂに含まれる運転設定に基づき運転されるものである。
【００１２】
次に、本実施形態のエレベーターの空調機の動作手順を図２に基づき説明する。
【００１３】
運転補助手段４の制御部４Ｃは、手順Ｓ１として受光素子４Ａによりリモートコントロール機器１から発光される赤外線Ａに新たなコード、即ち設定内容が含まれているかどうかを判断する。このとき、新しい設定内容が含まれていることを判断すると、即ち、管理人が乗かご２に乗込み、リモートコントロール機器１により例えば室内温度設定を２０度から１８度に変更すると、制御部４Ｃは手順Ｓ２としてこの設定内容を記憶する。光センサ４Ｃは乗かご２内の明るさを継続して検知しており、何らかの理由により停電が発生して乗かご２内の照明が消え、次いで、復電に伴い乗かご２内の照明が再び点灯すると、手順Ｓ３に示すように光センサ４Ｃを介して制御部４Ｄは乗かご２内の明るさが「暗い」から「明るい」に変化したことを判断する。これに応じて手順Ｓ４として設定内容、即ち室内温度設定を１８度としたコードを含む赤外線Ｂを発光素子４Ｂから発光する。これにより停電からの復電に伴い初期設定となっていた空調機本体３は発光素子４Ｂから発光される赤外線Ｂを受光し、管理人が所望し設定した設定内容で再び運転されることになる。
【００１４】
本実施形態によれば、設定内容を記憶するとともに、乗かご２内の明るさの変化を感知して設定内容に応じた出力信号、即ち赤外線Ｂを出力する運転補助手段４を乗かご２に設置するという比較的簡易な方法で、停電が発生しても管理人が乗かご２に赴くことを要せずに、予め定めた設定内容で運転を継続させることができる。これによって、管理人の労力の低減を図ることができるとともに、停電により初期設定になったまま運転が継続されるという事態を確実に回避することができる。また、運転補助手段４は空調機本体３とは別に設置されるものであることから、既存のエレベーターの空調機にも容易に対応することができる。
【００１５】
なお、運転補助手段４がかご負荷検出器からの信号を受信するようにし、予め設定した値の負荷となったときに予め定めた設定内容に応じた出力信号を出力するようにすることもできる。これにより、例えば、乗かごに複数の乗客が乗込み予め定めた値の負荷となると、それまでより低い室内温度設定のコードを含む出力信号を出力し、空調機本体の運転を切替えることで乗かご内の温度が上昇することを防ぐことができる。
【図面の簡単な説明】
【００１６】
【図１】本発明に係るエレベーターの空調機の一実施形態を示す概略構成図である。
【図２】図１の空調機の動作手順を示すフローチャートである。
【符号の説明】
【００１７】
１  リモートコントロール機器
２  乗かご
３  空調機本体
４  運転補助手段
４Ａ  受光素子
４Ｂ  発光素子
４Ｃ  光センサ
４Ｄ  制御部
Ａ、Ｂ  赤外線
【図１】
2009249085.tif 000003
【図２】
2009249085.tif 000004